(57)【要約】【課題】運搬に際してボビンを積み重ねてもフランジ部が変形することを防止することができる巻取用ボビンを提供すること。【解決手段】中空胴部２と、該胴部の軸方向両端部に設けられた環状フランジ部３，３とを有し、前記両フランジ部間の胴部表面に紙テープなどの被巻取体を巻き取るためのボビン１において、前記胴部と対応する両フランジ部の外表面側に、該フランジ部より径小で、かつフランジ部の外表面と平行な外表面を有する突出部５が設けられていることを特徴とする。【選択図】      図１
2004168490.tif 000002
【特許請求の範囲】
【請求項１】
中空胴部と、該胴部の軸方向両端部に設けられた環状フランジ部とを有し、前記両フランジ部間の胴部表面に紙テープなどの被巻取体を巻き取るためのボビンにおいて、前記胴部と対応する両フランジ部の外表面側に、該フランジ部より径小で、かつフランジ部の外表面と平行な外表面を有する突出部が設けられていることを特徴とする巻取用ボビン。
【請求項２】
突出部は、ほぼ胴部径となっているとともに、その突出厚さがフランジ部の厚さと同程度である請求項１記載の巻取用ボビン。
【請求項３】
突出部は、その外表面に凹凸部を有し、突出部の外表面同士が接してボビンが積層されるときに、上下隣接するボビンの対面する突出部の凹部と凸部が互いに嵌合して係止する請求項１又は２記載の巻取用ボビン。
【請求項４】
凹凸部は、突出部の外表面の円周方向に所定角度で複数個形成された凸部と、該凸部と凸部の間隔に形成された凹部である請求項３記載の巻取用ボビン。
【請求項５】
中空胴部と、該胴部の軸方向両端部に設けられた環状フランジ部とを有し、前記両フランジ部間の胴部表面に紙テープなどの被巻取体を巻き取るためのボビンにおいて、前記胴部の中心部に配置される軸部の外周面と胴部の内周面間を連結してアーム部が胴部の円周方向に少なくとも３個設けられ、これらアーム部が屈曲形成されていることを特徴とする巻取用ボビン。
【請求項６】
アーム部は、管部の外周面と胴部の内周面間における径方向中間部を境にして互いに反対方向に湾曲して形成された屈曲部を有している請求項５記載の巻取用ボビン。
【請求項７】
アーム部は、管部の外周面と胴部の内周面間における径方向中間部を境にして互いに同方向に外向き湾曲して形成された屈曲部を左右対称に１対有している請求項５記載の巻取用ボビン。
【発明の詳細な説明】
【０００１】
【発明の属する技術分野】
この発明は、上面に多数のコネクタを所定間隔で接着した紙テープなどの被巻取体を巻き取る巻取用ボビン、さらに詳しくは前記ボビンを積み重ねて運搬してもフランジ部が変形するのを防止できるボビン、アーム部が成形収縮を起こし胴部が変形するのを防止することができるボビンに関するものである。
【０００２】
【従来の技術】
従来のこの種の巻取用ボビン５１は、図８に示すように、例えば段ボール紙等からなり、両端が開口した中空円筒状の胴部５２と、該胴部の開口両端を覆って外向きにほぼ直角に設けられた環状フランジ部５３，５３とを有し、両フランジ部間の胴部５２の表面に紙テープ（被巻取体）を巻き取るように構成されている。図９は巻取用ボビン５１の使用例を示し、巻取用ボビン５１は、紙テープ巻取束５５から繰り出される紙テープ５６の接着面の上に別工程で出来上がったコネクタ５７を順次、所定間隔で載せて半固定化し、そのまま胴部表面に巻き取る。巻き取られたコネクタ５７はボビン５１ごと運搬保管される。
【０００３】
ところで、前記従来のボビン５１は、巻き取り前の、空ボビンを運搬するに際して、図１０に示すようにフランジ部５３の全面で上層のボビンの重量を受ける形で、積み重ねていたが、数を重ねると、横ずれを生じ易かった。そのため、運搬時等に、図１０に示すように例えば上から２つ目のボビンに何らかの負荷がかかると、該ボビンのフランジ部５３′の胴部近辺及び下方のボビンのフランジ部５３″の胴部近辺が上下に隣接するボビンのフランジ部と緩衝し、変形破損することがあった。図１０では２つ目のボビンの上側フランジ部５３′の胴部近辺が下方に向けて屈曲変形し、かつ下方のボビンの上側フランジ部５３″の胴部近辺が下方に向けて屈曲変形している。
【０００４】
また、図１１に示すように胴部５２内の中心部には軸穴部となる中空円筒状の管部５８が同心状に配置され、該管部と胴部の内周面間を連結するように補強用アーム部５９が胴部５２の円周方向に複数個（４個）設けられているが、該アーム部が直線状のものからなっているため、アーム部５９が成形収縮を起こすと、胴部５２が引っ張られ、変形の原因となり、真円度が要求されるボビンには不適である。アーム部５９を無くした場合には、成形収縮による変形はしないが、胴部５２にかかる巻き締め付け力に対抗するだけの胴部強度が保持できない問題もあった。
【０００５】
【発明が解決しようとする課題】
そこでこの発明は、前記のような従来のものが有する問題点を解決し、運搬に際してボビンを積み重ねてもフランジ部が変形することを防止することができる巻取用ボビンを提供することを第１の目的とし、アーム部が成形収縮を起こしても、それらを吸収して胴部が変形するのを防止することができ、かつ胴部強度を保持できる巻取用ボビンを提供することを第２の目的する。
【０００６】
【課題を解決するための手段】
前記第１の目的を達成するために、請求項１に記載の発明は、中空胴部と、該胴部の軸方向両端部に設けられた環状フランジ部とを有し、前記両フランジ部間の胴部表面に紙テープなどの被巻取体を巻き取るためのボビンにおいて、前記胴部と対応する両フランジ部の外表面側に、該フランジ部より径小で、かつフランジ部の外表面と平行な外表面を有する突出部が設けられていることを特徴とする。
【０００７】
請求項２に記載の発明は、請求項１において、突出部は、ほぼ胴部径となっているとともに、その突出厚さがフランジ部の厚さと同程度である。請求項３に記載の発明は、請求項１又は２において、突出部は、その外表面に凹凸部を有し、突出部の外表面同士が接してボビンが積層されるときに、上下隣接するボビンの対面する突出部の凹部と凸部が互いに嵌合して係止する。請求項４に記載の発明は、請求項３において、凹凸部は、突出部の外表面の円周方向に所定角度で複数個形成された凸部と、該凸部と凸部の間隔に形成された凹部である。
【０００８】
前記第２の目的を達成するために、請求項５に記載の発明は、中空胴部と、該胴部の軸方向両端部に設けられた環状フランジ部とを有し、前記両フランジ部間の胴部表面に紙テープなどの被巻取体を巻き取るためのボビンにおいて、前記胴部の中心部に配置される軸部の外周面と胴部の内周面間を連結してアーム部が胴部の円周方向に少なくとも３個設けられ、これらアーム部が屈曲形成されていることを特徴とする。
【０００９】
請求項６に記載の発明は、請求項５において、アーム部は、管部の外周面と胴部の内周面間における径方向中間部を境にして互いに反対方向に湾曲して形成された屈曲部を有している。請求項７に記載の発明は、請求項５において、アーム部は、管部の外周面と胴部の内周面間における径方向中間部を境にして互いに同方向に外向き湾曲して形成された屈曲部を左右対称に１対有している。
【００１０】
【発明の実施の形態】
この発明の一実施の形態を、添付図面を参照して説明する。図１はその全体斜視図である。１は合成樹脂製の巻取用ボビンで、両端が開口した中空円筒状の胴部２と、該胴部の開口両端を覆って外向きにほぼ直角に設けられた環状フランジ部３，３とを有し、両フランジ部間の胴部表面に紙テープを巻き取るように構成されている。胴部２と対応する両フランジ部３，３の外表面には、ほぼ胴部２の径と等しい径に形成された突出部５，５が一体に設けられている。突出部５，５の外表面はフランジ部３，３の外表面と平行な平坦な面に形成されている。突出部５，５の突出厚さはフランジ部３，３の厚さと同程度となっている。
【００１１】
巻取用ボビン１は前記のように突出部５，５を有した構成からなるので、空ボビンを運搬するに際して、図２に示すようにフランジ部３上の突出部５，５外表面全面で上層のボビンの重量を受ける形で、積み重ねられることとなるが、運搬時等に荷崩れが起きて横ずれを生じ、例えば上から２つ目のボビンに何らかの負荷がかかっても、該ボビンのフランジ部３′の胴部近辺及び下方のボビンのフランジ部３″の胴部近辺が上下に隣接するボビンのフランジ部と緩衝することがない。したがって、従来のような変形破損がない。
【００１２】
図３は突出部の変形例を示す。この変形例の突出部５ａ，５ａは、その外表面に凹凸部が形成されている。すなわち、突出部５ａ，５ａの外表面に扇状の凸部６が円周方向に等角度で複数個（３個）形成され、該凸部と凸部の間隔に同形の凹部７が形成されている。したがって、突出部５ａ，５ａの外表面同士が接触するようにボビンが積み重ねられたときに、突出部５ａ，５ａの円周方向の位置を互いに調整することにより、上下隣接するボビンの対面する突出部５ａ，５ａの凹部７と凸部６が互いに嵌合して係止し、該係止位置に位置決めされる。この位置決めにより突出部５ａ，５ａの外表面同士の横ずれがなくなり、積層状態を安定したものにすることが可能となる。
【００１３】
胴部２内の中心部には、図４に示すように軸穴部となる中空円筒状の管部８が同心状に配置され、該管部の外周面と胴部２の内周面間を連結して補強用アーム部１０が胴部の円周方向に複数個（４個）設けられている。アーム部１０は図５に拡大して示すように管部８の外周面と胴部２の内周面間における径方向中間部を境にして互いに反対方向に湾曲して形成された屈曲部１１，１２を有し、該屈曲部の対向内縁はなだらかな曲線により一体に連結されている。一方の屈曲部１１の外縁は径方向を向いた取付基部１３を介して胴部２の内周面に連結され、他方の屈曲部１２の外縁は径方向を向いた取付基部１４を介して管部８の外周面に連結されている。
【００１４】
巻取用ボビン１は前記のように補強用アーム部１０を有した構成からなるので、該アーム部が成形収縮を起こしても、図５に示すように屈曲部１１，１２における収縮力Ｖ１，Ｖ２およびＶ３，Ｖ４は、アーム部自体を中心線Ｃ方向へ向かう力ＶＣに合成する。アーム部の湾曲は、中心線Ｃに沿う形に近づいてゆくように変形がなされる。そのため、胴部２と管部８を引っ張る力はアーム部１０自体が吸収することとなり、胴部２が変形することがなく、真円度も保たれる。また、胴部表面に紙テープ等による巻き締め付け力がかかった場合、アーム部１０により胴部２の強度が保たれ、破損することがない。
【００１５】
図６はアーム部の変形例を示す。この変形例のアーム部１０ａは、複数本（２本１組）のアーム部１６，１７からなっている。すなわち、アーム部１６，１７は、図７に拡大して示すように管部８の外周面と胴部２の内周面間における径方向中間部を境にして互いに同方向に外向き湾曲して形成された屈曲部２０，２１および２２，２３を左右対称に１対有し、該各屈曲部の対向内縁は内向き先鋭形状に形成されて一体に連結され、対向する屈曲部の対向内縁と近接して配置されている。一方の対側の屈曲部２０，２２の外縁は径方向を向いた取付基部２５，２６を介して胴部２の内周面に連結され、他方の対側の屈曲部２１，２３の外縁は径方向を向いた取付基部２７，２８を介して管部８の外周面に連結されている。
【００１６】
この変形例において、アーム部１０ａが成形収縮を起こしても、図７に示すように屈曲部２０，２１，２２，２３における収縮力は、図５に示したアーム部１０の屈曲部１１，１２と同様にアーム部自体を中心線Ｃ方向へ向かう力に合成する。そのため、胴部２と管部８を引っ張る力はアーム部１０ａ自体が吸収することとなり、胴部２が変形することがない等、前記アーム部１０と同様な作用が期待される。
【００１７】
前記実施の形態は好ましい一例を示したにすぎず、これに限定されるものではない。例えば突出部は胴部と必ずしも別体である必要はなく、必要により一体に形成してもよい。この場合には、例えばフランジ部に突出部及び胴部に嵌挿可能な中心孔を形成し、該中心孔を突出部と胴部の境まで嵌挿したうえで一体固着する。また、フランジ部を胴部の開口両端を覆って設けたが、必ずしもこのような構成にしなくともよく、胴部の両端から直接外向きに張り出すように設けてもよい。この場合には突出部で胴部の両端開口を覆うようにするのが好ましい。さらに、アーム部の形状や個数も好ましい一例を示したにすぎず、図示した以外の形状や個数としてもよいことは言うまでもない。このように実施に際して構成各部の具体的な構成は請求項に記載した技術的事項の範囲内で種々に変更や修正ができる。
【００１８】
【発明の効果】
請求項１ないし４に記載の発明は、前記のようであって、中空胴部と、該胴部の軸方向両端部に設けられた環状フランジ部とを有し、前記両フランジ部間の胴部表面に紙テープなどの被巻取体を巻き取るためのボビンにおいて、前記胴部と対応する両フランジ部の外表面側に、該フランジ部より径小で、かつフランジ部の外表面と平行な外表面を有する突出部が設けられているので、運搬に際してボビンを積み重ねても突出部の介在によりフランジ部が変形することを防止することができる。請求項３，４に記載の発明は、さらに凹凸部により突出部同士が係止してしっかりと位置決めができるので、ボビンを積層して運搬するときに積層状態での荷崩れが起きることがなくて、運搬に便利なものとなる。
【００１９】
請求項５ないし７に記載の発明は、前記のようであって、中空胴部と、該胴部の軸方向両端部に設けられた環状フランジ部とを有し、前記両フランジ部間の胴部表面に紙テープなどの被巻取体を巻き取るためのボビンにおいて、前記胴部の中心部に配置される軸部の外周面と胴部の内周面間を連結してアーム部が胴部の円周方向に少なくとも３個設けられ、これらアーム部が屈曲形成されているので、アーム部が成形収縮を起こし変形するのを防止する効果がある。また、胴部表面に巻き締め付け力がかかっても、アーム部が胴部の強度を保持し、胴体が破損するのを防止することができる効果がある。
【図面の簡単な説明】
【図１】この発明の一実施の形態を示す全体斜視図である。
【図２】同上のボビンを積み重ねたときの作用説明図である。
【図３】突出部の変形例を示す全体斜視図である。
【図４】アーム部が設けられた胴部の平面図である。
【図５】図４のＡ部拡大図である。
【図６】アーム部の変形例を示す胴部の平面図である。
【図７】図６のＢ部拡大図である。
【図８】従来例の全体斜視図である。
【図９】従来例の側面図である。
【図１０】従来例のボビンを積み重ねたときの作用説明図である。
【図１１】従来例のアーム部が設けられた胴部の斜視図である。
【符号の説明】
１  巻取用ボビン
２  胴部
３，３  環状フランジ部
５，５，５ａ，５ａ  突出部
６  凸部
７  凹部
８  管部
１０，１０ａ（１６，１７）  アーム部
１１，１２，２０，２１，２２，２３  屈曲部
１３，１４，２５，２６，２７，２８  取付基部
【図１】
2004168490.tif 000003
【図２】
2004168490.tif 000004
【図３】
2004168490.tif 000005
【図４】
2004168490.tif 000006
【図５】
2004168490.tif 000007
【図６】
2004168490.tif 000008
【図７】
2004168490.tif 000009
【図８】
2004168490.tif 000010
【図９】
2004168490.tif 000011
【図１０】
2004168490.tif 000012
【図１１】
2004168490.tif 000013